(57)【特許請求の範囲】
【請求項１】
蓄光剤を有した糸（１ａ）と、反射材を有した糸（１ｂ）とをよりあわせて螺旋状に交互に並ぶように芯材（１）を形成し、この芯材（１）を可撓性を有し湾曲可能でミシン縫合可能な透明合成樹脂材よりなる断面円形の玉縁部（２ａ）で被包し、この玉縁部（２ａ）には断面の略接線方向に向けて縫代部（２ｂ）を延設して線状の玉縁体（２）を形成し、
前面部（１１）と後面部（１２）と底面部（１３）と両側面（１４ａ，１４ｂ）とで上部開口を有した鞄本体（１０）を構成し、該前面部（１１）と後面部（１２）と底面部（１３）とは一体の生地材をＵ字状に折り曲げて形成し、上記両側面（１４ａ，１４ｂ）は左右両辺と底辺とを一定幅縫代部（１８）として外側に折り曲げ、この縫代部（１８）に上記前面部（１１）と後面部（１２）と底面部（１３）との両側辺縁部を接合して、該前面部（１１）と後面部（１２）と底面部（１３）とに両側面（１４ａ，１４ｂ）を縫着し、さらに、上記鞄本体（１０）には、後面部（１２）より延設されて上部開口の上を通って自由端側が前面部（１１）の外側にまで達する被せ蓋（２０）を設けると共に、該鞄本体（１０）には一対の背負帯（３０，３０）を取り付け、
上記被せ蓋（２０）にはその縁部に、略Ｕ字状に折り曲げた縁取り生地（２１）で縁取りし、該縁取り生地（２１）と被せ蓋（２０）の外面との間に、前記玉縁体（２）の縫代部（２ｂ）を差し込んで、玉縁部（２ａ）を該縁取り生地（２１）の内周側に露出させて、該玉縁体（２）を該縁取り生地（２１）と共に被せ蓋（２０）に縫着し、
また、上記縫代部（１８）と、前面部（１１）、後面部（１２）、底面部（１３）との接合部の間に、前記玉縁体（２）の縫代部（２ｂ）を差し込んで、玉縁部（２ａ）を鞄本体（１０）の外方に露出させ、この玉縁体（２）を、前記前面部（１１）と後面部（１２）と底面部（１３）とに両側面（１４ａ，１４ｂ）を縫着する際に共に縫着し、
さらに前記両背負帯（３０，３０）の内面側には、夫々該背負帯（３０）より幅の広いクッション帯材（３１）をその両側が背負帯（３０）の両側に突出するようにして縫着し、該背負帯（３０）とクッション帯材（３１）との間に、前記玉縁体（２）の縫代部（２ｂ）を差し込んで、玉縁部（２ａ）を該背負帯（３０）の外側に突出させ、該背負帯（３０）の両側辺に沿ってクッション帯材（３１）を縫合する際に該玉縁体（２）を共に縫着してなる背負鞄。
【発明の詳細な説明】
【０００１】
【発明の属する技術分野】
本発明は、鞄に関するもので、特に交通事故防止のために、反射材・蓄光剤を付設した背負鞄に関するものである。
【０００２】
【従来の技術】
最近、反射材や蓄光剤の性能が顕著に向上し、夜間の歩行時に、車両の運転手に歩行者の存在を確実に確認させるのに充分となり、この種、反射材や蓄光剤を鞄に取り付ける試みが種々提案されている。
【０００３】
これらの試みは、交通事故防止に確実な効果を有することから、多くの支持を受けており、学生鞄、特にランドセルにおいては多くの学校で、この種、反射材や蓄光剤を付設した鞄が採用されるようになってきている。しかし、従来のこの種、反射材や蓄光剤は、一般的に所定幅のテープ状のものが提供され、これらを所定の長さに切断して鞄に縫着するようになしてあるため、目立って交通事故の防止には役立つも、体裁が悪くなるという問題点が、特に、児童や学生等の若い使用者より指摘されている。
【０００４】
また、従来のこの種の反射材や蓄光剤を取り付けた鞄は、上記反射材や蓄光剤のテープを縫着する手数が別途必要となるので、その分製造コストが嵩むという問題点を有していた。
【０００５】
【発明が解決しようとする課題】
そこで、本発明は、普段はあまり目立たず、暗闇や自動車のライト等が照射されると光って目立つようになし、さらには、製造工程は従来と同じ工程数で済む背負鞄を提供することを課題としたものである。
【０００６】
【課題を解決するための手段】
上記課題を達成するため、本発明は、蓄光剤を有した糸１ａと、反射材を有した糸１ｂとをよりあわせて螺旋状に交互に並ぶように芯材１を形成し、この芯材１を可撓性を有し湾曲可能ミシン縫合可能な透明合成樹脂材よりなる断面円形の玉縁部２ａで被包し、この玉縁部２ａには断面の略接線方向に向けて縫代部２ｂを延設して線状に玉縁体２を形成し、前面部１１と後面部１２と底面部１３と両側面１４ａ，１４ｂとで上部開口を有した鞄本体１０を構成し、該前面部１１と後面部１２と底面部１３とは一体の生地材をＵ字状に折り曲げて形成し、上記両側面１４ａ，１４ｂは左右両辺と底辺とを一定幅縫代部１８として外側に折り曲げ、この縫代部１８に上記前面部１１と後面部１２と底面部１３との両側辺縁部を接合して、該前面部１１と後面部１２と底面部１３とに両側面１４ａ，１４ｂを縫着し、さらに、上記鞄本体１０には、後面部１２より延設されて上部開口の上を通って自由端側が前面部１１の外側にまで達する被せ蓋２０を設けると共に、該鞄本体１０には一対の背負帯３０，３０を取り付け、上記被せ蓋２０にはその縁部に、略Ｕ字状に折り曲げた縁取り生地２１で縁取りし、該縁取り生地２１と被せ蓋２０の外面との間に、前記玉縁体２の縫代部２ｂを差し込んで、玉縁部２ａを該縁取り生地２１の内周側に露出させて、該玉縁体２を該縁取り生地２１と共に被せ蓋２０に縫着し、また、上記縫代部１８と、前面部１１、後面部１２、底面部１３との接合部の間に、前記玉縁体２の縫代部２ｂを差し込んで、玉縁部２ａを鞄本体１０の外方に露出させ、この玉縁体２を、前記前面部１１と後面部１２と底面部１３とに両側面１４ａ，１４ｂを縫着する際に共に縫着し、さらに前記両背負帯３０，３０の内面側には、夫々該背負帯３０より幅の広いクッション帯材３１をその両側が背負帯３０の両側に突出するようにして縫着し、該背負帯３０とクッション帯材３１との間に、前記玉縁体２の縫代部２ｂを差し込んで、玉縁部２ａを該背負帯３０の外側に突出させ、該背負帯３０の両側辺に沿ってクッション帯材３１を縫合する際に該玉縁体２を共に縫着してなる技術的手段を講じたものである。
【０００７】
それ故、本発明の鞄は、鞄の各構成部材を接合する接合部材の接合部位に沿って、断面略円形の玉縁体２が線条に露出し、背負鞄の構成部材の接合線や接合木端面が該玉縁体２で覆い隠されて体裁を向上する作用を呈する。
【０００８】
また、上記玉縁体２は、芯材１として、蓄光剤を有した糸１ａと、反射材を有した糸１ｂとを収納しているので、明るい場所から暗い場所に移ると、蓄光剤が光り、また、自動車のライト等の光が当たると反射して光り、歩行者が存在することを目立たせる作用を呈する。
【０００９】
さらに、この玉縁体２の取り付けは、鞄の各構成部材を接合する際に共に行えばよいので、製造工程は増加しない作用を呈するものである。
【００１０】
【００１１】
本発明は、上記作用に加え、蓄光剤を有した糸１ａと、反射材を有した糸１ｂとをよりあわせて芯材１を形成したので、蓄光剤を有した糸１ａと、反射材を有した糸１ｂとが交互に螺条になるので、必ずこの蓄光剤を有した糸１ａと、反射材を有した糸１ｂとが目視できるようになる作用を呈する。
【００１２】
そして、本発明は、被せ蓋２０に玉縁体２を取り付けるに際して、玉縁部２ａをその縁取り生地２１の内周側に露出させて、該縁取り生地２１と共に被せ蓋２０に縫着してなるので、被せ蓋２０の外周に沿って、蓄光剤を有した糸１ａと、反射材を有した糸１ｂとが交互に螺旋状に現れる作用を呈する。なお、通常、鞄を携行する際は、この被せ蓋２０は使用者の体の外側に向けて使用されると、この被せ蓋は輪郭形状が大きいので、蓄光剤を有した糸１ａと、反射材を有した糸１ｂとの囲む大きさも大きくとれ、遠くからも確認できるようになる作用をも呈するものである。
【００１３】
【００１４】
上記作用に加え、鞄本体１０の両側面１４ａ，１４ｂを玉縁体２で縁取りした状態となり、この鞄の側方は、車両の運転者に遠くからも確認できるようになる作用を呈するものである。
【００１５】
【００１６】
上記作用に加えて、使用者の体の前側に位置させて使用する背負帯３０の両側に上記玉縁体２が位置するので、前方側より歩行者の存在を確認し易くする作用を呈する。
【００１７】
【００１８】
本発明の背負鞄は、上記作用に加え、使用者の後方からは被せ蓋２０に設けた玉縁体２が、使用者の側方からは側面１４ａ，１４ｂの外周部の玉縁体２が、使用者の前方からは背負帯３０の両側の玉縁体２が、すなわち、使用者の全方向から歩行者の存在を目立たせる作用を呈するものである。
【００１９】
【実施例】
次に、本発明の第１の実施例を添付図面を参照して詳細に説明する。図示実施例は、本発明を背負式鞄の一例であるランドセルで実施したものであるが、その他の方式の鞄でもよいのは無論である。図示ランドセルは、前面部１１と後面部１２と底面部１３と両側面１４ａ，１４ｂとで上部開口を有した鞄本体１０を構成し、この鞄本体１０には、後面部１２より延設され、鞄本体１０の上部開口の上方を通って、その自由端側が前面部１１の外側にまで達する被せ蓋２０を設けてある。
【００２０】
上記前面部１１と後面部１２と底面部１３とは一体の生地材をＵ字状に折り曲げて形成し、底面１３には図では必ずしも明記していない補強板を、後面部１２は同じく図では必ずしも明記していないクッション材を配している。そして、上記両側面１４ａ，１４ｂは左右両辺と底辺とを一定幅縫代部１８（図６参照）として外側に折り曲げ、この縫代部１８に上記前面部１１と後面部１２と底面部１３の両側辺部を接合・縫着して上部開口を有した鞄本体１０を構成してある。なお、前面部１１には前段と称されるポケット部１５が取り付けられている。
【００２１】
上記被せ蓋２０は、後面部１２の上端を延設して一体形成してもよいが、本実施例では後面部１２の上端より多少下方に下がった部位に、該被せ蓋２０の基端部を縫着して取り付けてある。なお、この被せ蓋２０の縫着部には取付補強生地３４が重ねられ、該被せ蓋２０の基端部と共に、後記する背負帯３０、３０の一端を、該取付補強生地３４と後面部１２との間に挟持固定するようになしてある。さらに、この取付補強生地３４と後面部１２との間には提げ手３３も下端が差し込まれて共に縫着してある。
【００２２】
上記被せ蓋２０の自由端は、前面部１１の外方（本実施例ではポケット部１５の外方）に達するようになしてある。なお、前面部１１（ポケット部１５）には係止具本体１６が固定され、被せ蓋２０の先端にはこの係止具本体１６に着脱可能に係止される係止片１７が鋲４，４等で取り付けられている。なお、上記鞄本体１０の上辺近くには鳩目金具６，６，６・・・が設けられ、この鳩目金具６，６，６・・・を通して緊締紐５が通され、この緊締紐５の両端は前面部１１の前方に配した固定位置変更可能な紐通具７に共に通して、該緊締紐５で鞄本体１０の上部開口の開口率を変更できるようにしてある。
【００２３】
鞄本体１０には一対の背負帯３０，３０を取り付けてある。該背負帯３０，３０は、前記したように、上端を後面部１２の上部中央に固定した一対の背負帯本体３０ａ，３０ａと、一端を底面部１３に固定した一対の背負帯副体３０ｂ，３０ｂと、この両者を連結位置調整可能に連結するバックル３２，３２とで構成されている。なお、この背負帯本体３０ａ，３０ａと背負帯副体３０ｂ，３０ｂとは化学繊維の比較的太い糸で織った強靱な帯体が使用されている。
【００２４】
なお、上記背負帯本体３０ａ，３０ａを強靱な材質で構成すると、使用時に荷重によって違和感が生ずるので、両背負帯３０，３０の内面側（特に、使用時、肩に適合する背負帯本体３０ａ，３０ａの上部の内側）には、夫々該背負帯３０より幅の広いクッション帯材３１をその両側が背負帯３０の両側に突出するようにして縫着してある。このクッション帯材３１は、図７に最も明らかに示すように、伸縮性に富んだ被包生地３１ａで、発泡合成樹脂材等からなるクッション材３１ｂを被包して構成してある。
【００２５】
そして、本発明は、先ず、蓄光剤を有した糸１ａと、反射材を有した糸１ｂとで芯材１を形成し、この芯材１を透明合成樹脂材よりなる断面円形の玉縁部２ａで被包し、この玉縁部２ａには断面の略接線方向に向けて縫代部２ｂを延設して玉縁体２を形成してある。該蓄光剤と反射材とは、従来公知なものが使用でき、これらを糸に含有又は付着させればよい。そして、この蓄光剤を有した糸１ａと、反射材を有した糸１ｂとで構成される芯材１は、透明合成樹脂の筒体内に挿通（遊挿）するか、図示実施例のように、透明合成樹脂材よりなる断面円形の玉縁部２ａ内に埋入させる。なお、この透明合成樹脂材は可撓性を有して湾曲可能なものが使用され、かつ、ミシン（工業用ミシン）で縫合可能なものが使用される。
【００２６】
上記玉縁部２ａには、断面の略接線方向に向けて縫代部２ｂを延設して玉縁体２を構成するもので、該玉縁体２は、玉縁部２ａと所定の幅の縫代部２ｂとで、図４に最も明らかに示すように、断面略Ｐ字状に形成してある。なお、本発明では、上記縫代部２ｂを正確な接線方向に向けて突出し、図５及び図７に示すように、縫代部２ｂの接する面の上に玉縁部２ａも接するようになすのが望ましいが、図６のように、この玉縁部２ａが端部より突出する場合は、正確な接線方向となす必要性は必ずしもなく、玉縁部２ａの中心を通る遠心方向等に該縫代部２ｂを突設してもよいものである。
【００２７】
本発明は、鞄の各構成部材を接合する接合部材の間に、上記玉縁体２の縫代部２ｂを差し込んで、玉縁部２ａを鞄の外面側に露出させて、該玉縁体２を各鞄構成部材間に取り付けてなる。すなわち、前記した玉縁体２の断面Ｐ字状の足部に適合する縫代部２ｂを鞄の各構成部材の接合部に差し込み、玉縁部２ａは鞄の外方に露出し、該縫代部２ｂは接合部を接合する際に、共に縫着する等して鞄に取り付けてある。なお、この鞄の各構成部材としては、前記した前面部１１、後面部１２、底面部１３、両側面１４ａ，１４ｂ、被せ蓋２０等の各接合を始め、これらに附属する附属部材との接合部等を選定すればよい。
【００２８】
従って、本発明は、従来の鞄に線状の玉縁体２が追加されるのみであるので、通常時はあまり目立たず、蓄光剤を有した糸１ａと、反射材を有した糸１ｂとが鞄の接合部に沿って、該接合部を覆い隠すように配されてなるので、かえって鞄全体の体裁を向上できる鞄を提供できるものである。
【００２９】
そして、上記玉縁体２は、明るい部屋から夜間暗い屋外に外出するようなときは、蓄光剤を有した糸１ａがみずから光って歩行者の存在を強調し、また自動車のライト等の光が照射されると、反射材を有した糸１ｂが光りを反射して歩行者の存在を強調できる鞄を提供できる。
【００３０】
次に、本発明の第２の実施例について説明する。本発明は、蓄光剤を有した糸１ａと、反射材を有した糸１ｂとをよりあわせて芯材１を形成し、この芯材１を透明合成樹脂材よりなる断面円形の玉縁部２ａで被包し、この玉縁部２ａには断面の略接線方向に向けて縫代部２ｂを延設して玉縁体２を形成してある。すなわち、本発明では、蓄光剤を有した糸１ａと、反射材を有した糸１ｂとをよりあわせて芯材１としている。
【００３１】
蓄光剤を有した糸１ａと、反射材を有した糸１ｂとを単に透明合成樹脂材よりなる断面円形の玉縁部２ａで被包すると、見る場所等で蓄光剤を有した糸１ａと反射材を有した糸１ｂとのいずれか一方が隠れて見えない場合がある。このように、一方が隠れてしまうと、蓄光剤を有した糸１ａと反射材を有した糸１ｂとの双方を使用した効果がなくなってしまうので、本発明では蓄光剤を有した糸１ａと、反射材を有した糸１ｂとをよりあわせて芯材１を形成し、両者が螺旋状に交互に並ぶようになして、必ずこの両者が目視できるようになしてある。
【００３２】
前面部１１と後面部１２と底面部１３と両側面１４ａ，１４ｂとで上部開口を有した鞄本体１０を構成し、この鞄本体１０には、後面部１２より延設されて上部開口の上を通って自由端側が前面部１１の外側にまで達する被せ蓋２０を設けてある。なお、この鞄本体１０及び被せ蓋２０の構成は、従来と同じであるので、従来公知な被せ蓋式の鞄を利用すればよい。
【００３３】
そして、上記被せ蓋２０は、その縁部に略Ｕ字状に折り曲げた縁取り生地２１で縁取りし、該縁取り生地２１と被せ蓋２０の外面との間に、前記玉縁体２の縫代部２ｂを差し込んで、玉縁部２ａを該縁取り生地２１の内周側に露出させて、該玉縁体２を該縁取り生地２１と共に被せ蓋２０に縫着してある。この被せ蓋２０の縁部を、縁取り生地２１で縁取りすることは従来も行われていたものであるが、本発明では被せ蓋２０は該縁取り生地２１で縁取りされると共に、この縁取り生地２１の内周部位には玉縁体２の玉縁部２ａが位置して、二重に縁取りされることになる。
【００３４】
従って、本発明は、前記効果に加えて、蓄光剤を有した糸１ａと、反射材を有した糸１ｂとが交互に螺旋状となってその両者が必ず目視でき、被せ蓋２０のほぼ外周に玉縁部２ａを沿わせてなるので、該玉縁部２ａは大きな部位を囲む輪郭形状となって、遠くかも確認しやすい鞄を提供できるものである。
【００３５】
次に、本発明の第３の実施例について説明する。本発明は、蓄光剤を有した糸１ａと、反射材を有した糸１ｂとをよりあわせて芯材１を形成し、この芯材１を透明合成樹脂材よりなる断面円形の玉縁部２ａで被包し、この玉縁部２ａには断面の略接線方向に向けて縫代部２ｂを延設して玉縁体２を形成してあるのは前記弟２実施例と同じである。
【００３６】
そして、前面部１１と後面部１２と底面部１３と両側面１４ａ，１４ｂとで上部開口を有した鞄本体１０を構成し、該前面部１１と後面部１２と底面部１３とは一体の生地材をＵ字状に折り曲げて形成し、上記両側面１４ａ，１４ｂは左右両辺と底辺とを一定幅縫代部１８として外側に折り曲げ、この縫代部１８に上記前面部１１と後面部１２と底面部１３との両側辺縁部を接合して、該前面部１１と後面部１２と底面部１３とに両側面１４ａ，１４ｂを縫着し、上記縫代部１８と、前面部１１、後面部１２、底面部１３との接合部の間に、前記玉縁体２の縫代部２ｂを差し込んで、玉縁部２ａを鞄本体１０の外方に露出させ、この玉縁体２を、前記前面部１１と後面部１２と底面部１３とに両側面１４ａ，１４ｂを縫着する際に共に縫着してなるものである。
【００３７】
前記弟２実施例のような被せ蓋式の鞄には、リュックサックやランドセル等の背負鞄、手提げ鞄やショルダー鞄等が有り、この背負鞄の被せ蓋に玉縁体２を設けると、後方からの車両に効果があり、手提げ鞄では一側方からの車両に効果がある。しかし、前記弟２実施例の構成の鞄では、背負鞄では側方、手提げ鞄では後方の車両からは、該玉縁体２が見えないので効果がない。そこで、本発明は鞄本体１０の側面部に、該玉縁体２を配設したものである。
【００３８】
そこで、本発明では、前面部１１と後面部１２と底面部１３と両側面１４ａ，１４ｂとで上部開口を有した鞄本体１０を構成し、該前面部１１と後面部１２と底面部１３とは一体の生地材をＵ字状に折り曲げて形成し、上記両側面１４ａ，１４ｂは左右両辺と底辺とを一定幅縫代部１８として外側に折り曲げ、この縫代部１８に上記前面部１１と後面部１２と底面部１３との両側辺縁部を接合して、該前面部１１と後面部１２と底面部１３とに両側面１４ａ，１４ｂを縫着してある。該前面部１１と後面部１２と底面部１３とを一体の生地材をＵ字状に折り曲げて形成することで、これらを別個に縫製するのに比べて、部品点数及び縫合箇所が減り、容易に製造できるようになる。そして、両側面１４ａ，１４ｂは左右両辺と底辺とを一定幅縫代部１８として外側に折り曲げ、この一定幅縫代部１８に上記前面部１１と後面部１２と底面部１３との両側辺縁部を接合することで、鞄本体１０の両側面に略Ｕ字状の接合部が形成されることになる。
【００３９】
従って、上記略Ｕ字状の接合部に、玉縁体２を共に縫着すれば、通常の使用状態で背負鞄での使用者の両側方、手提げ鞄等での使用者の前後方向から、該玉縁体２が目視できるようになるものである。
【００４０】
次に、本発明の第４の実施例について説明する。本発明は、蓄光剤を有した糸１ａと、反射材を有した糸１ｂとをよりあわせて芯材１を形成し、この芯材１を透明合成樹脂材よりなる断面円形の玉縁部２ａで被包し、この玉縁部２ａには断面の略接線方向に向けて縫代部２ｂを延設して玉縁体２を形成してなるのは、前記弟２実施例及び第３実施例と同じ構成である。
【００４１】
そして、本発明は、鞄本体１０に一対の背負帯３０，３０を取り付け、この両背負帯３０，３０の内面側には、夫々該背負帯３０より幅の広いクッション帯材３１を、その両側が背負帯３０の両側に突出するようにして縫着し、該背負帯３０とクッション帯材３１との間に、前記玉縁体２の縫代部２ｂを差し込んで、玉縁部２ａを該背負帯３０の外側に突出させ、該背負帯３０の両側辺に沿ってクッション帯材３１を縫合する際に該玉縁体２を共に縫着してある。すなわち、本発明は、玉縁体２を背負鞄の使用者の前方から目視できるようになしたもので、背負鞄で使用者の前から見える鞄の部位は背負帯３０，３０のみであるので、この部位に玉縁体２を取り付けたものである。
【００４２】
背負帯３０，３０には、全荷重が加わるので、最も破損しやすい場所である。従って、この部位に付属品を取り付ける場合は耐久性の向上に充分配慮する必要性がある。そこで、本発明は、強靱な材質で製造した背負帯３０の下に、前記縫代部２ｂを差し込み、該縫代部２ｂを背負帯３０で被覆・保護し、玉縁部２ａは背負帯３０の横でクッション帯材３１の上に位置させることで、この玉縁部２ａに直接大きな外力が加わりにくくし、さらには、大きな外力が加わった際はクッション帯材３１での緩衝作用で破損を防止するようになしたものである。
【００４３】
次に、本発明の第５の実施例について説明する。本発明は、蓄光剤を有した糸１ａと、反射材を有した糸１ｂとをよりあわせて芯材１を形成し、この芯材１を透明合成樹脂材よりなる断面円形の玉縁部２ａで被包し、この玉縁部２ａには断面の略接線方向に向けて縫代部２ｂを延設して玉縁体２を形成してあるのは、前記第２実施例乃至第４実施例と同じ構成である。
【００４４】
そして、前面部１１と後面部１２と底面部１３と両側面１４ａ，１４ｂとで上部開口を有した鞄本体１０を構成し、該前面部１１と後面部１２と底面部１３とは一体の生地材をＵ字状に折り曲げて形成し、上記両側面１４ａ，１４ｂは左右両辺と底辺とを一定幅縫代部１８として外側に折り曲げ、この縫代部１８に上記前面部１１と後面部１２と底面部１３との両側辺縁部を接合して、該前面部１１と後面部１２と底面部１３とに両側面１４ａ，１４ｂを縫着し、さらに、上記鞄本体１０には、後面部１２より延設され、上部開口の上を通って自由端側が前面部１１の外側にまで達する被せ蓋２０を設けると共に、該鞄本体１０には一対の背負帯３０，３０を取り付けてある。すなわち、本発明は、ランドセルに代表される背負鞄に限定しているものである。
【００４５】
そして、上記被せ蓋２０にはその縁部に、略Ｕ字状に折り曲げた縁取り生地２１で縁取りし、該縁取り生地２１と被せ蓋２０の外面との間に、前記玉縁体２の縫代部２ｂを差し込んで、玉縁部２ａを該縁取り生地２１の内周側に露出させて、該玉縁体２を該縁取り生地２１と共に被せ蓋２０に縫着してなるのは、前記第２実施例と同じ構成である。
【００４６】
また、上記縫代部２ｂと、前面部１１、後面部１２、底面部１３との接合部の間に、前記玉縁体２の縫代部２ｂを差し込んで、玉縁部２ａを鞄本体１０の外方に露出させ、この玉縁体２を、前記前面部１１と後面部１２と底面部１３とに両側面１４ａ，１４ｂを縫着する際に共に縫着してなるのは、前記第３実施例と同じ構成である。
【００４７】
さらに前記両背負帯３０，３０の内面側には、夫々該背負帯３０より幅の広いクッション帯材３１をその両側が背負帯３０の両側に突出するようにして縫着し、該背負帯３０とクッション帯材３１との間に、前記玉縁体２の縫代部２ｂを差し込んで、玉縁部２ａを該背負帯３０の外側に突出させ、該背負帯３０の両側辺に沿ってクッション帯材３１を縫合する際に該玉縁体２を共に縫着してなるのは、前記第４実施例と同じ構成である。
【００４８】
すなわち、本発明は、鞄をランドセルに代表される背負鞄に限定するもので、前記第２実施例乃至第４実施例の全ての作用と効果とを有するようになしたもので、使用者が通常の使用状態で、その前後・左右いずれからでも玉縁部２ａが目視できるようにし、これらが光ったり、光りを反射して交通事故から使用者を守ることのできる背負鞄を提供できるものである。
【００４９】
なお、図中、３は指掛け舌片部、８ａは光りを反射する反射テープ、８は学校の徽章を入れる徽章収納部、９ａは名札収納部、９はサイドポケット、Ｓは縫い糸を示す。
【００５０】
【発明の効果】
本発明によれば、蓄光剤は光りを蓄積し、暗い場所では蛍光を発して暗闇に本発明の鞄を持った人がいることを知らしめ、また、自動車等のライトが当たるとその光りを反射して同じく、本発明の鞄を持った人がいることを知らしめることのできる背負鞄を提供できるものである。
【００５１】
また、本発明は、鞄の構成部材の接合部に玉縁体２を取り付けるようになしてあるので、接合線が該玉縁体２で覆い隠され、目立つというより体裁を向上できる効果を有し、さらに、該玉縁体２が必要となるも、鞄はこの玉縁体を所定の場所に組み込むのみで、製造工程が特に増えるものではなく、別途反射テープ等を縫着する方法に比較しても安価に製造できる効果をも有するものである。
【図面の簡単な説明】
【図１】  本発明の一実施例を示す正面図である。
【図２】  背面図である。
【図３】  左側面図である。
【図４】  本発明に使用する玉縁体の部分拡大斜視図である。
【図５】  「図１」のＡ−Ａ線部拡大断面図である。
【図６】  「図３」のＣ−Ｃ線部拡大断面図である。
【図７】  「図２」のＢ−Ｂ線部拡大断面図である。
【符号の説明】
１      芯材
１ａ    蓄光剤を有した糸
１ｂ    反射材を有した糸
２      玉縁体
２ａ    玉縁部
２ｂ    縫代部
１０      鞄本体
１１      前面部
１２      後面部
１３      底面部
１４ａ    側面
１４ｂ    側面
１８      一定幅縫代部
２０      被せ蓋
２１      縁取り生地
３０      背負帯
３１      クッション帯材
【図１】
0003704098.tif 000002
【図２】
0003704098.tif 000003
【図３】
0003704098.tif 000004
【図４】
0003704098.tif 000005
【図５】
0003704098.tif 000006
【図６】
0003704098.tif 000007
【図７】
0003704098.tif 000008